(57)【要約】      （修正有）【課題】室内空間高さを確保し、かつ、天井梁と床梁との間に、配管スペースや耐火材の被覆スペースを確保することができる建築ユニット構造体を提供する。【解決手段】上下に連結されて建築物を構築するための建築ユニット構造体は、中空断面の柱１３２と、柱の下端に接合される通しダイアフラム１３４と、通しダイアフラムに接合される床梁１１０Ａ，１１０Ｂ，１１０Ｃと、柱の上端に接合され、階上の建築ユニット構造体の通しダイアフラムと締結手段によって締結される接続板１３６と、天井梁１２０Ａ，１２０Ｂ，１２０Ｃと、接続板よりも下方に離れて柱に接合され、天井梁が締結手段によって締結される天井梁接続金具１３８と、を有する。【選択図】図２
2020066864.tif 000002
【特許請求の範囲】
【請求項１】
上下に連結されて建築物を構築するための建築ユニット構造体において、
中空断面の柱と、
前記柱の下端に接合される通しダイアフラムと、
前記通しダイアフラムに接合される床梁と、
前記柱の上端に接合され、階上の建築ユニット構造体の前記通しダイアフラムと締結手段によって締結される接続板と、
天井梁と、
前記接続板よりも下方に離れて前記柱に接合され、前記天井梁が締結手段によって締結される天井梁接続金具と、
を有する建築ユニット構造体。
【請求項２】
請求項１において、
前記通しダイアフラムは、ダイアフラム管と、該ダイアフラム管の上端と接合される上部接合板と、前記ダイアフラム管の下端と接合される下部接合板と、を含み、
前記下部接合板は、階下の建築ユニット構造体の前記接続板と締結手段によって締結される建築ユニット構造体。
【請求項３】
請求項２において、
前記下部接合板には長穴が形成され、前記長穴は、前記建築ユニット構造体が搭載される車両の荷台に上向きで突出するツイストロックが嵌入するのに適合する建築ユニット構造体。
【請求項４】
上下に連結されて建築物を構築するための建築ユニット構造体において、
中空断面の柱と、
前記柱の下端に接合される下部通しダイアフラムと、
前記柱の上端に接合される上部通しダイアフラムと、
前記上部通しダイアフラムの上端に接合される中空断面の追加柱と、
前記下部通しダイアフラムに接合される床梁と、
前記上部通しダイアフラムに接合される天井梁と、
前記追加柱の上端に接合され、階上の建築ユニット構造体の前記下部通しダイアフラムと締結手段によって締結される接続板と、
を有する建築ユニット構造体。
【請求項５】
請求項４において、
前記下部通しダイアフラム及び上部通しダイアフラムの各々は、ダイアフラム管と、該ダイアフラム管の上端と接合される上部接合板と、前記ダイアフラム管の下端と接合される下部接合板と、を含み、
前記下部通しダイアフラムの前記下部接合板は、階下の建築ユニット構造体の前記接合板と締結手段によって締結される建築ユニット構造体。
【請求項６】
請求項５において、
前記下部通しダイアフラムの前記下部接合板には長穴が形成され、前記長穴は、前記建築ユニット構造体が搭載される車両の荷台に上向きで突出するツイストロックが嵌入するのに適合する建築ユニット構造体。
【請求項７】
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
天井梁と、
前記上部接続板よりも下方に離れて前記柱に接合され、前記天井梁が締結手段によって締結される天井梁接続金具と、
を有する建築ユニット構造体。
【請求項８】
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
前記床梁よりも高さが低い天井梁と、
前記上部接続板の直下で前記柱に接合され、前記天井梁が締結手段によって締結される天井梁接続金具と、
を有する建築ユニット構造体。
【請求項９】
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
前記床梁と同一高さの天井梁と、
前記上部接続板の直下で前記柱に接合され、前記天井梁が締結手段によって締結される天井梁接続金具と、
を有する建築ユニット構造体。
【請求項１０】
請求項７乃至９のいずれか一項において、
前記下部接続板には長穴が形成され、前記長穴は、前記建築ユニット構造体が搭載される車両の荷台に上向きで突出するツイストロックが嵌入するのに適合する建築ユニット構造体。
【請求項１１】
請求項１、２、３、７、８、９または１０において、
前記床梁は、耐火材で被覆されている建築ユニット構造体。
【請求項１２】
請求項４乃至６のいずれか一項において、
前記床梁及び前記天井梁は、耐火材で被覆されている建築ユニット構造体。
【発明の詳細な説明】
【技術分野】
【０００１】
本発明は、現場で上下に連結されて建築物を構築するための、工場で組み立てられる建築ユニット構造体に関する。
【背景技術】
【０００２】
現場での施工人員の縮小や施工期間の短縮のために、予め工場で組み立てられた建築ユニット構造体を、現場で上下に連結させて建築物を構築することが行われている。特許文献１では、階下のユニットの柱の上端に接合された通しダイアフラムと、階上のユニットの柱の下端に接合された通しダイアフラムとを、現場においてボルトとナットとにより締結している。
【０００３】
しかし、特許文献１の構造では、階下の通しダイアフラムに接合される天井梁と、階上の通しダイアフラムに接合される床梁との間の隙間が狭い。このため、天井梁と床梁との間に配管を配置したり、あるいは天井梁及び床梁に耐火材を被覆することができない。
【０００４】
一方、特許文献２では、天井梁及び床梁に耐火材を被覆するため、階上の床梁の取り付け位置を高くして、天井梁と床梁との間に比較的大きなスペースを確保している。
【先行技術文献】
【特許文献】
【０００５】
【特許文献１】特開平５−１７１６９４号公報
【特許文献２】特許第４５５３６４９号公報
【発明の概要】
【発明が解決しようとする課題】
【０００６】
しかし、特許文献２のように床梁の取り付け位置を高くすると、各階の床面から天井面までの室内空間高さが狭まり、居住性が低下してしまう。
【０００７】
そこで、本発明の幾つかの態様は、各階の床面から天井面までの室内空間高さを拡大して居住性を高め、高い開放性を確保しながら、天井梁と床梁との間に、配管スペースや耐火材の被覆スペースを確保することができる建築ユニット構造体を提供することを目的とする。
【０００８】
また、本発明の幾つかの態様は、天井梁を現場で取り外して施行できる自由度が確保され、天井梁を外した場合には、床面から天井面までの室内空間高さを拡大して居住性を高め、高い開放性を確保できる建築ユニット構造体を提供することを目的とする。
【課題を解決するための手段】
【０００９】
（１）本発明の一態様は、
上下に連結されて建築物を構築するための建築ユニット構造体において、
中空断面の柱と、
該柱の下端に接合される通しダイアフラムと、
該通しダイアフラムに接合される床梁と、
前記柱の上端に接合され、階上の建築ユニット構造体の前記通しダイアフラムと締結手段によって締結される接続板と、
天井梁と、
前記接続板よりも下方に離れて前記柱に接合され、前記天井梁が締結手段によって締結される天井梁接続金具と、
を有する建築ユニット構造体に関する。
【００１０】
本発明の一態様（１）によれば、床梁は、柱の下端に接合される通しダイアフラムに接合される。よって、床梁に支持される床面の位置が高くなることがない。一方、天井梁は、柱の上端の接続板よりも下方に離れた位置にて柱に接合される天井梁接続金具に締結手段によって締結される。よって、天井梁の取り付け高さ位置は低くなり、天井梁と床梁との間に、配管スペースや耐火材の被覆スペースを確保することができる。ここで、天井梁の取り付け高さ位置は低くなるが、天井面は天井梁以外の領域では低くする必要はなく、天井面の高さを確保できる。よって、各階の床面から天井面までの室内空間高さを拡大して居住性を高め、高い開放性を確保できる。なお、床梁を接合するためのダイアフラムは、通しダイアフラムだけでなく、通しダイアフラムと内ダイアフラムとを併用するものも本発明の範囲である。また、天井梁は現場で取り外して施工できる自由度がある。天井梁を取りはずした場合には、天井面を階下と階上との境界面を超えた高い位置に設定でき、室内空間高さがさらに拡大されて居住性がさらに高められ、さらに高い開放性を確保できる。
【００１１】
（２）本発明の一態様（１）では、前記通しダイアフラムは、ダイアフラム管と、該ダイアフラム管の上端と接合される上部接合板と、前記ダイアフラム管の下端と接合される下部接合板と、を含むことができる。従って、前記下部接合板は、階下の建築ユニット構造体の前記接続板と締結手段によって締結されて、階下と階上の建築ユニット構造体同士が連結される。
【００１２】
（３）本発明の一態様（２）では、前記下部接合板には長穴が形成されても良い。この場合、前記長穴は、前記建築ユニット構造体が搭載される車両の荷台に上向きで突出するツイストロックが嵌入するのに適合する形状とされる。ツイストロックは、長穴に挿通された後に回転されることで、長穴がツイストロックにより抜け止めされる。それにより、建築ユニット構造体をトレーラー等の車両の荷台に搭載して安全に搬送できる。
【００１３】
（４）本発明の他の態様は、
上下に連結されて建築物を構築するための建築ユニット構造体において、
中空断面の柱と、
該柱の下端に接合される下部通しダイアフラムと、
前記柱の上端に接合される上部通しダイアフラムと、
該上部通しダイアフラムの上端に接合される中空断面の追加柱と、
前記下部通しダイアフラムに接合される床梁と、
前記上部通しダイアフラムに接合される天井梁と、
前記追加柱の上端に接合され、階上の建築ユニット構造体の前記下部通しダイアフラムと締結手段によって締結される接続板と、
を有する建築ユニット構造体に関する。
【００１４】
本発明の他の態様（４）によれば、床梁は、柱の下端に接合される下部通しダイアフラムに接合される。よって、床梁に支持される床面の位置が高くなることがない。一方、天井梁は、柱の上端に接合された上部通しダイアフラムに接合されるが、上部通しダイアフラムの上端には追加柱が設けられる。よって、天井梁の取り付け高さ位置は低くなり、天井梁と床梁との間に、配管スペースや耐火材の被覆スペースを確保することができる。ここで、天井梁の取り付け高さ位置は低くなるが、天井面は天井梁以外の領域では低くする必要はなく、天井面の高さを確保できる。そのため、各階の床面から天井面までの室内空間高さを拡大して居住性を高め、高い開放性を確保できる。
【００１５】
（５）本発明の他の態様（４）では、前記下部通しダイアフラム及び上部通しダイアフラムの各々は、ダイアフラム管と、該ダイアフラム管の上端と接合される上部接合板と、前記ダイアフラム管の下端と接合される下部接合板と、を含むことができる。従って、前記下部通しダイアフラムの前記下部接合板は、階下の建築ユニット構造体の前記接合板と締結手段によって締結されて、階下と階上の建築ユニット構造体同士が連結される。
【００１６】
（６）本発明の他の態様（５）では、前記下部通しダイアフラムの前記下部接合板には長穴が形成されても良い。この場合、前記長穴は、前記建築ユニット構造体が搭載される車両の荷台に上向きで突出するツイストロックが嵌入するのに適合する形状とされる。ツイストロックは、長穴に挿通された後に回転されることで、長穴がツイストロックにより抜け止めされる。それにより、建築ユニット構造体をトレーラー等の車両の荷台に搭載して安全に搬送できる。
【００１７】
（７）本発明のさらに他の態様は、
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
天井梁と、
前記上部接続板よりも下方に離れて前記柱に接合され、前記天井梁が締結手段によって締結される天井梁接続金具と、
を有する建築ユニット構造体に関する。
【００１８】
本発明のさらに他の態様（７）によれば、床梁は、柱の下端に接合される通しダイアフラムに接合される。ここで、通しダイアフラムの下端に接合される中空断面の追加柱と、追加柱の下端に接合される下部接続板とがさらに設けられる。よって、床梁に支持される床面の位置は高くなる。一方、天井梁は、上部接続板よりも下方に離れて柱に接合される天井梁接続金具に締結手段によって締結される。よって、天井梁の取り付け高さ位置は低くなる。このため、天井梁と床梁との間に、配管スペースや耐火材の被覆スペースを確保することができる。ここで、天井梁の取り付け高さ位置は低くなるため、天井梁と床梁との間に十分なスペースは確保するのに、床梁の取り付け高さを過度に高くしなくても済む。また、天井面は天井梁以外の領域では低くする必要はない。よって、各階の床面から天井面までの室内空間高さを拡大して居住性を高め、高い開放性を確保できる。また、天井梁は現場で取り外して施工できる自由度がある。天井梁を取りはずした場合には、天井面を階下と階上との境界面を超えた高い位置に設定でき、室内空間高さがさらに拡大されて居住性がさらに高められ、さらに高い開放性を確保できる。
【００１９】
（８）本発明のさらに他の態様は、
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
前記床梁よりも高さが低い天井梁と、
前記上部接続板の直下で前記柱に接合され、前記天井梁が締結手段によって締結される天井梁接続金具と、
を有する建築ユニット構造体に関する。
【００２０】
本発明のさらに他の態様（８）によれば、床梁は、柱の下端に接合される通しダイアフラムに接合される。ここで、通しダイアフラムの下端に接合される中空断面の追加柱と、追加柱の下端に接合される下部接続板とがさらに設けられる。よって、床梁に支持される床面の位置は高くなる。一方、天井梁は、上部接続板の直下で柱に接合される天井梁接続金具に締結手段によって締結される。よって、天井梁の取り付け高さ位置は最上位となる。天井梁は最上位の高さ位置であっても、床梁は高い位置に取り付けられるので、階下の天井梁と階上の床梁との間に、配管スペースや耐火材の被覆スペースを確保することができる。ここで、天井面は天井梁以外の領域では低くする必要はなく、天井面は高く確保できる。しかし、床面は床梁の位置に依存して高くなるので、各階の床面から天井面までの室内空間高さは、本発明の上述した態様（１）（４）（７）よりも狭められる。ただし、床梁よりも高さが低い天井梁を用いているので、特許文献２と比較すれば、床面から天井面までの室内空間高さは同等であっても、床面から天井梁下の天井面までの間隔が広がる。また、天井梁は現場で取り外して施工できる自由度がある。天井梁を取りはずした場合には、天井面を階下と階上との境界面を超えた高い位置に設定でき、室内空間高さが拡大されて居住性が高められ、高い開放性を確保できる。
【００２１】
（９）本発明のさらに他の態様は、
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
前記床梁と同一高さの天井梁と、
前記上部接続板の直下で前記柱に接合され、前記天井梁が締結手段によって締結される天井梁接続金具と、
を有する建築ユニット構造体に関する。
【００２２】
本発明のさらに他の態様（９）によれば、本発明の前記態様（８）と同様にして、階下の天井梁と階上の床梁との間に、配管スペースや耐火材の被覆スペースを確保することができるが、各階の床面から天井面までの室内空間高さは、本発明の上述した態様（１）（４）（７）よりも狭められる。特許文献２と比較すれば、床面から天井面までの室内空間高さは同等であっても、天井梁は現場で取り外して施工できる自由度がある。天井梁を取りはずした場合には、天井面を階下と階上との境界面を超えた高い位置に設定でき、室内空間高さが拡大されて居住性が高められ、高い開放性を確保できる。
【００２３】
（１０）本発明の他の態様（７）〜（９）では、前記下部接続板には長穴が形成されても良い。この場合、前記長穴は、前記建築ユニット構造体が搭載される車両の荷台に上向きで突出するツイストロックが嵌入するのに適合する形状とされる。ツイストロックは、長穴に挿通された後に回転されることで、長穴がツイストロックにより抜け止めされる。それにより、建築ユニット構造体をトレーラー等の車両の荷台に搭載して安全に搬送できる。
【００２４】
（１１）本発明の態様（１）〜（３）、（７）〜（１０）では、前記床梁は、耐火材で被覆されていることが好ましい。床梁は、通しダイアフラムに剛接合され、建築ユニット構造体の強度計算に用いられる主要構造である。よって、主要構造である床梁は耐火材により保護されることが好ましい。一方、天井梁は天井梁接続金具に締結手段によって締結されるのでピン接合となり、主要構造とはならない。よって、天井梁は必ずしも耐火材で被覆する必要はない。
【００２５】
（１２）本発明の態様（４）〜（６）では、前記床梁及び前記天井梁は、耐火材で被覆されていることが好ましい。床梁及び天井梁は、下部及び上部の通しダイアフラムに剛接合され、建築ユニット構造体の強度計算に用いられる主要構造である。よって、床梁及び天井梁を耐火材で保護されることが好ましい。
【図面の簡単な説明】
【００２６】
【図１】本発明の第１〜第３実施形態に係る建築ユニット構造体の概要を示す図である。
【図２】本発明の第１実施形態に係る建築ユニット構造体の骨組みの断面を示す正面図である。
【図３】本発明の第１実施形態に係る建築ユニット構造体の骨組みの平面図である。
【図４】本発明の第１実施形態に係る建築ユニット構造体の骨組みの断面を示す側面図である。
【図５】本発明の第１実施形態に係る建築ユニット構造体の変形例として、全長の短い建築ユニット構造体の骨組みの平面図である。
【図６】本発明の第１実施形態に係る建築ユニット構造体の階下／階上の接合部の拡大図である。
【図７】本発明の第１実施形態に係る建築ユニット構造体の断面を示す正面図である。
【図８】本発明の第１実施形態に係る建築ユニット構造体の断面を示す平面図である。
【図９】本発明の第１実施形態に係る建築ユニット構造体の断面を示す側面図である。
【図１０】本発明の第２実施形態に係る建築ユニット構造体の骨組みの断面を示す正面図である。
【図１１】本発明の第２実施形態に係る建築ユニット構造体の骨組みの平面図である。
【図１２】本発明の第２実施形態に係る建築ユニット構造体の骨組みの断面を示す側面図である。
【図１３】本発明の第２実施形態に係る建築ユニット構造体の階下／階上の接合部の拡大図である。
【図１４】本発明の第２実施形態に係る建築ユニット構造体の断面を示す正面図である。
【図１５】本発明の第２実施形態に係る建築ユニット構造体の断面を示す平面図である。
【図１６】本発明の第２実施形態に係る建築ユニット構造体の断面を示す側面図である。
【図１７】本発明の第３実施形態に係る建築ユニット構造体の骨組みの断面を示す正面図である。
【図１８】本発明の第３実施形態に係る建築ユニット構造体の骨組みの平面図である。
【図１９】本発明の第３実施形態に係る建築ユニット構造体の骨組みの断面を示す側面図である。
【図２０】本発明の第３実施形態に係る建築ユニット構造体の階下／階上の接合部の拡大図である。
【図２１】本発明の第３実施形態に係る建築ユニット構造体の断面を示す正面図である。
【図２２】本発明の第３実施形態に係る建築ユニット構造体の断面を示す平面図である。
【図２３】本発明の第３実施形態に係る建築ユニット構造体の断面を示す側面図である。
【図２４】本発明の第４実施形態に係る建築ユニット構造体の階下／階上の接合部の拡大図である。
【図２５】本発明の第５実施形態に係る建築ユニット構造体の階下／階上の接合部の拡大図である。
【図２６】本発明の第４，５実施形態の変形例として、現場で天井梁を取り外して構築される建築ユニット構造体の断面を示す正面図である。
【図２７】通しダイアフラムの構造を説明するための図である。
【図２８】本発明の第４実施形態に係る建築ユニット構造体の長穴を示す図である。
【発明を実施するための形態】
【００２７】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２８】
１．本発明の第１〜第３実施形態の概要
図１は、本発明の第１〜第３実施形態に係る建築ユニット構造体１００，２００，３００と、特許文献２の建築ユニット構造体１とを対比して示す。なお、以下に示す各図は、建築ユニット構造体１，１００，２００，３００等について、階下と階上との２階建て構造について示すが、３階建て以上の各階についても同様である。図１では、建築ユニット構造体１００，２００，３００の各階の床面１４１，２４１，３４１から天井面１５１，２５１，３５１までの室内空間高さＨ１，Ｈ２，Ｈ３を、特許文献２の建築ユニット構造体１の床面４１から天井面５１までの室内空間高さＨ０と比較している。図１では、天井面５１，１５１，２５１，３５１の高さ位置は同じであるのに対して、床面１４１，２４１，３４１は、二点鎖線で延長して示す床面４１の高さ位置Ａよりも低い。図１から、Ｈ１＝Ｈ２＞Ｈ３＞Ｈ０であることが分かる。ただし、階下の天井梁２０，１２０，２２０，３２０と階上の床梁１０，１１０，２１０，３１０との間の距離ｈはいずれも等しく、天井梁と床梁との間に所定のスペースは確保されている。それにより、本発明の第１〜第３実施形態によれば、天井梁１２０，２２０，３２０と床梁１１０，２１０，３１０との間に配管スペースや耐火材の被覆スペースを特許文献２と同等に確保しながら、床面１４１，２４１，３４１から天井面１５１，２５１，３５１までの室内空間高さＨ１，Ｈ２，Ｈ３が特許文献２のＨ０よりも高いことが分かる。なお、床面４１，１４１，２４１，３４１と天井梁下の天井面５１，１５１，２５１，３５１との間隔Ｌ０，Ｌ１，Ｌ２，Ｌ３の関係は、Ｌ０＝Ｌ１＝Ｌ２＝Ｌ３となっている。
【００２９】
２．本発明の第１実施形態
図２〜図４は、本発明の第１実施形態に係る建築ユニット構造体１００の軸組みの断面を示す正面図、平面図、断面を示す側面図である。建築ユニット構造体１００の軸組みは、床梁１１０と、天井梁１２０と、柱体１３０とを連結している。床梁１１０と天井梁１２０は、例えばＨ鋼で形成される。床梁１１０は、長さの異なる複数種類例えば３種類の床梁１１０Ａ，１１０Ｂ，１１０Ｃを含む。天井梁１２０は、図２及び図４に示すように、長さの異なる複数種類例えば３種類の天井梁１２０Ａ，１２０Ｂ，１２０Ｃを含む。柱体１３０は、建築ユニット構造体１００の四隅の４本と、床梁１１０Ａ，１１０Ｂの継ぎ手部分の１本と、天井梁１２０Ａ，１２０Ｂの継ぎ手部分の１本と、の例えば計６本を含む。なお、図２〜図４は全長が例えば４０フィートの建築ユニット構造体１００を示す。例えば全長が２０フィートの建築ユニット構造体１００の場合には、図５に示すように四隅に４本の柱体１３０を設けるだけでも良い。
【００３０】
柱体１３０は、図２に示すように、中空断面の例えば矩形の柱１３２と、柱１３２の下端に接合例えば溶接される通しダイアフラム１３４と、柱１３２の上端に接合例えば溶接される接続板１３６と、接続板１３６よりも下方にて柱１３２に接合例えば溶接された天井梁接続金具１３８とを有する。通しダイアフラム１３４には床梁１１０の端部が接合例えば溶接される。接続板１３６は、階上の建築ユニット構造体１００の通しダイアフラム１３４と、例えば柱１３２よりも外側の４箇所にて例えばボルト、ナット等の締結手段によって締結される。天井梁接続金具１３８には、天井梁１２０の端部が例えばボルト、ナット等の締結手段によって締結される。
【００３１】
図６は、図４の階下／階上の連結部を拡大して示す。床梁１１０（１１０Ａ，１１０Ｂ，１１０Ｃ）は、図６に示すように、通しダイアフラム１３４に剛接合される主要構造であるＨ鋼１１２を被覆する耐火材１１４を有する。一方、天井梁接続金具１３８にピン接合されて主要構造とはならない天井梁１２０（１２０Ａ，１２０Ｂ，１２０Ｃ）は耐火材１１４により被覆されていない。
【００３２】
図６には、階上の床材１４０と階下の天井材１５０とが示されている。床梁１１０は柱１３２の下端に接合された通しダイアフラム１３４に接合される。床材１４０は、床梁１１０に支持される。一方、天井梁１２０は、柱１３２の上端の接続板１３６よりも下方に離れた位置にて柱１３２に接合された天井梁接続金具１３８に締結手段によって締結される。よって、天井梁１２０の取り付け高さ位置は低くなり、天井梁１２０と床梁１１０との間に、配管スペースや耐火材の被覆スペースを確保することができる。ここで、天井梁１２０の取り付け高さ位置は低くなるが、天井面１５１は天井梁１２０以外の領域では低くする必要はない。次に、床材１４０の床面１４１は、階下／階上の境界面Ａよりも、少なくとも床梁１１０の高さ及び床材１４０の高さ分だけ高くなる。しかし、図１に示す特許文献２の建築ユニット構造体１では、床材４０の床面４１は、階下／階上の境界面Ａよりも、少なくとも床梁１０の高さ及び床材４０の高さに加え、階下の天井梁２０と階上の床梁１１０との間の距離ｈ分だけさらに高くなる。従って、図１に示すように、建築ユニット構造体１００の各階の床面１４１から天井面１５１までの室内空間高さＨ１は、特許文献２の建築ユニット構造体１の室内空間高さＨ０よりも広くなる（Ｈ１＞Ｈ０）。
【００３３】
図７〜図９は、工場で組み立てられる完成体の建築ユニット構造体１００の断面を示す正面図、断面を示す平面図、断面を示す側面図である。完成体の建築ユニット構造体１００は、図２〜図４に示す骨組みに加えて、床材１４０、天井材１５０、窓を有する壁材１６０、部屋と廊下１８０とを仕切る間仕切り材１７０等の他、部屋内に設置されるユニットバストイレ１９０やベッド１９２を有することができる。なお、ベッド１９２は現場で取り付けても良い。このように、建築ユニット構造体１００に設けられる部材が多いほど、現場での施工人数を縮小でき、施工期間も短縮される。
【００３４】
３．本発明の第２実施形態
図１０〜図１２は、本発明の第２実施形態に係る建築ユニット構造体２００の軸組みの断面を示す正面図、平面図、断面を示す側面図である。建築ユニット構造体２００の軸組みは、床梁２１０と、天井梁２２０と、柱体２３０とを連結している。床梁２１０と天井梁２２０は、例えばＨ鋼で形成される。床梁２１０は、長さの異なる複数種類例えば３種類の床梁２１０Ａ，２１０Ｂ，２１０Ｃを含む。天井梁２２０は、図１０及び図１２に示すように、長さの異なる複数種類例えば３種類の天井梁２２０Ａ，２２０Ｂ，２２０Ｃを含む。柱体２３０は、建築ユニット構造体２００の四隅の４本と、床梁２１０Ａ，２１０Ｂの継ぎ手部分の１本と、天井梁２２０Ａ，２２０Ｂの継ぎ手部分の１本と、の例えば計６本を含む。ただし全長が短い建築ユニット構造体２００の場合には、図５と同様に四隅に４本の柱体２３０を設けるだけでも良い。
【００３５】
柱体２３０は、図１０に示すように、中空断面の例えば矩形の柱２３２と、柱２３２の下端に接合例えば溶接される下部通しダイアフラム２３４と、柱２３２の上端に接合される上部通しダイアフラム２３６と、上部通しダイアフラム２３６の上端に接合される中空断面の追加柱２３５と、追加柱２３５の上端に接合された接続板２３８とを有する。下部通しダイアフラム２３４には床梁２１０の端部が接合例えば溶接される。上部通しダイアフラム２３６には天井梁２２０の端部が接合例えば溶接される。接続板２３８は、階上の建築ユニット構造体２００の下部通しダイアフラム２３４と、例えば柱２３２よりも外側の４箇所にて例えばボルト及びナット等の締結手段により、現場において締結される。
【００３６】
図１３は、図１０の階下／階上の連結部を拡大して示す。床梁２１０（２１０Ａ，２１０Ｂ，２１０Ｃ）は、図１３に示すように、下部通しダイアフラム２３４に剛接合される主要構造であるＨ鋼２１２を被覆する耐火材２１４を有する。上部通しダイアフラム２３６に剛接合される主要構造であるＨ鋼２１６を被覆する耐火材２１８を有する。
【００３７】
図１３には、階上の床材２４０と階下の天井材２５０とが示されている。床梁２１０は、柱２３２の下端に接合された下部通しダイアフラム２３４に接合される。床材２４０は、床梁２１０に支持される。一方、天井梁２２０は、柱２３２の上端に接合された上部通しダイアフラム２３６に接合されるが、上部通しダイアフラム２３６の上端には追加柱２３５が設けられる。よって、天井梁２２０の取り付け高さ位置は低くなり、天井梁２２０と床梁２１０との間に、配管スペースや耐火材の被覆スペースを確保することができる。ここで、天井梁２２０の取り付け高さ位置は低くなるが、天井面２５１は天井梁２２０以外の領域では低くする必要はない。次に、床材２４０の床面２４１は、階下／階上の境界面Ａよりも、少なくとも床梁２１０の高さ及び床材２４０の高さ分だけ高くなる。しかし、図１に示す特許文献２の建築ユニット構造体１では、床材４０の床面４１は、階下／階上の境界面Ａよりも、少なくとも床梁１０の高さ及び床材４０の高さに加え、階下の天井梁２０と階上の床梁１１０との間の距離ｈ分だけさらに高くなる。従って、図１に示すように、建築ユニット構造体２００の各階の床面から天井面までの室内空間高さＨ２は、特許文献２の建築ユニット構造体１の室内空間高さＨ０よりも広くなる（Ｈ２＞Ｈ０）。
【００３８】
図１４〜図１６は、工場で組み立てられる完成体の建築ユニット構造体２００の断面を示す正面図、断面を示す平面図、断面を示す側面図である。完成体の建築ユニット構造体２００は、図１０〜図１２に示す骨組みに加えて、床材２４０、天井材２５０、窓を有する壁材２６０、部屋と廊下２８０とを仕切る間仕切り材２７０等の他、部屋内に設置されるユニットバストイレ２９０やベッド２９２を有することができる。このように、建築ユニット構造体２００に設けられる部材が多いほど、現場での施工人数を縮小でき、施工期間も短縮される。
【００３９】
４．本発明の第３実施形態
図１７〜図１９は、本発明の第３実施形態に係る建築ユニット構造体３００の軸組みの断面を示す正面図、平面図、断面を示す側面図である。建築ユニット構造体３００の軸組みは、床梁３１０と、天井梁３２０と、柱体３３０とを連結している。床梁３１０と天井梁３２０は、例えばＨ鋼で形成される。床梁３１０は、長さの異なる複数種類例えば３種類の床梁３１０Ａ，３１０Ｂ，３１０Ｃを含む。天井梁３２０は、図１７及び図１９に示すように、長さの異なる複数種類例えば３種類の天井梁３２０Ａ，３２０Ｂ，３２０Ｃを含む。柱体３３０は、建築ユニット構造体３００の四隅の４本と、床梁３１０Ａ，３１０Ｂの継ぎ手部分の１本と、天井梁３２０Ａ，３２０Ｂの継ぎ手部分の１本と、の例えば計６本を含む。ただし全長が短い建築ユニット構造体３００の場合には、図５と同様に四隅に４本の柱体３３０を設けるだけでも良い。
【００４０】
柱体３３０は、図１７に示すように、中空断面の例えば矩形の柱３３２と、柱３３２の下端に接合例えば溶接される通しダイアフラム３３４と、柱３３２の上端に接合例えば溶接される上部接続板３３５と、通しダイアフラム３３４の下端に接合される中空断面の追加柱３３６と、追加柱３３６の下端に接合される下部接続板３３７と、上部接続板３３５よりも下方にて柱３３２に接合例えば溶接される天井梁接続金具３３８とを有する。通しダイアフラム３３４には床梁３１０の端部が接合例えば溶接される。上部接続板３３５は、階上の建築ユニット構造体３００の下部接続板３３７と、例えば柱３３２よりも外側の４箇所にて例えばボルト、ナット等の締結手段により、現場において締結される。天井梁接続金具３３８には、天井梁３２０の端部が締結手段により工場において締結される。
【００４１】
図２０は、図１８の階下／階上の連結部を拡大して示す。床梁３１０（３１０Ａ，３１０Ｂ，３１０Ｃ）は、図２０に示すように、通しダイアフラム３３４に剛接合される主要構造であるＨ鋼３１２を被覆する耐火材３１４を有する。一方、天井梁続金具３３８にピン接合されて主要構造とはならない天井梁３２０（３２０Ａ，３２０Ｂ，３２０Ｃ）は耐火材１１４により被覆されていない。
【００４２】
図２０には、階上の床材３４０と階下の天井材３５０とが示されている。床梁３１０は、柱３３２の下端に接合される通しダイアフラム３３４に接合される。床材３４０は、通しダイアフラム３３４に接合される床梁３１０に支持される。ここで、通しダイアフラム３３４の下端に接合される追加柱３３６と、追加柱３３６の下端に接合される下部接続板３３７とがさらに設けられる。よって、床梁３１０に支持される床材３４０の床面３４１の位置は、第１，第２実施形態よりも高くなる。図２０では、床梁３１０の下面は階下／階上境界線Ａよりも寸法ｈ１だけ高い位置に設定される。一方、天井梁３２０は、上部接続板３３５よりも下方に離れた位置にて柱３３２に接合された天井梁接続金具３３８に締結手段によって締結される。よって、天井梁３２０の取り付け高さ位置は低くなる。図２０では、天井梁３２０の上面は階下／階上境界線Ａよりも寸法ｈ２だけ低い位置に設定される。なお、ｈ１＋ｈ２＝ｈであり、床梁３１０と天井梁３２０との間隔ｈは第１〜第３実施形態で同一である。このため、天井梁３２０と床梁３１０との間に、配管スペースや耐火材の被覆スペースを確保することができる。ここで、天井梁３２０の取り付け高さ位置は低くなるが、天井面３５１は天井梁３２０以外の領域では低くする必要はない。次に、床材３４０の床面３４１は、階下／階上の境界面Ａよりも、寸法ｈ１、床梁３１０の高さ及び床材３４０の高さを加えた分だけ高くなる。しかし、図１に示す特許文献２の建築ユニット構造体１では、床材４０の床面４１は、階下／階上の境界面Ａよりも、寸法ｈ、床梁１０の高さ及び床材４０の高さを加えた分だけ高くなる。ここで、ｈ１＜ｈであるから、図１に示すように、建築ユニット構造体３００の各階の床面から天井面までの室内空間高さＨ３は、特許文献２の建築ユニット構造体１の室内空間高さＨ０よりも広くなる（Ｈ３＞Ｈ０）。なお、図１から、Ｈ３＜Ｈ１＝Ｈ２であることから、第３実施形態の室内空間高さＨ３は第１，第２実施形態の室内空間高さＨ１，Ｈ２よりもｈ１分だけ狭い。ただし、第３実施形態では、天井梁３２０の取り付け高さ位置が第１，第２実施形態ほど低くないので、床面から天井梁下の天井面までの間隔Ｌ３は、Ｌ３＝Ｌ１＝Ｌ２となり、第３実施形態の間隔Ｌ３は、第１，第２実施形態の間隔Ｌ１，Ｌ２と同じになる。
【００４３】
図２１〜図２３は、工場で組み立てられる完成体の建築ユニット構造体３００の断面を示す正面図、断面を示す平面図、断面を示す側面図である。完成体の建築ユニット構造体３００は、図１７〜図１９に示す骨組みに加えて、床材３４０、天井材３５０、窓を有する壁材３６０、部屋と廊下３８０とを仕切る間仕切り材３７０等の他、部屋内に設置されるユニットバストイレ３９０やベッド３９２を有することができる。このように、建築ユニット構造体３００に設けられる部材が多いほど、現場での施工人数を縮小でき、施工期間も短縮される。
【００４４】
５．第４実施形態
図２４は、本発明の第４実施形態に係る建築ユニット構造体における階下と階上との連結領域を示す。建築ユニット構造体４００の軸組みは、床梁４１０と、天井梁４２０と、柱体４３０とを連結している。柱体４３０は、中空断面の柱４３２と、柱４３２の下端に接合される通しダイアフラム４３４と、柱４３２の上端に接合される上部接続板４３５と、通しダイアフラムの下端に接合される中空断面の追加柱４３６と、追加柱４３６の下端に接合される下部接続板４３７と、上部接続板４３５の直下で柱４３２に接合される天井梁接続金具４３８と、を有する。通しダイアフラム４３４には床梁４１０の端部が接合例えば溶接される。上部接続板４３５は、階上の建築ユニット構造体４００の下部接続板４３７と、例えば柱４３２よりも外側の４箇所にて例えばボルト、ナット等の締結手段により、現場において締結される。天井梁接続金具４３８には、天井梁４２０の端部が締結手段により工場において締結される。通しダイアフラム４３４に剛接合される主要構造である床梁４１０は、Ｈ鋼４１２を被覆する耐火材４１４を有する。主要構造でない天井梁４２０は、床梁４１０の高さよりも低い。
【００４５】
図２４には、階上の床材４４０と階下の天井材４５０とが示されている。床材４４０は、通しダイアフラム４３４に接合される床梁４１０に支持される。ここで、通しダイアフラム４３４の下端に接合される追加柱４３６と、追加柱４３６の下端に接合される下部接続板４３７とがさらに設けられる。よって、床梁４１０に支持される床材４４０の床面４４１の位置は、第１，第２実施形態よりも高くなる一方、天井梁４２０は、上部接続板４３５の直下にて柱４３２に接合された天井梁接続金具４３８に締結手段によって締結される。よって、天井梁４２０の取り付け高さ位置は最上位となり、第１，第２実施形態よりも高くなる。つまり、図２４では、第１，第２実施形態の床梁及び天井梁を寸法ｈだけ上方に平行移動させた状態と同じである。よって、第４実施形態でも、第１〜第３実施形態と同じく、床梁４１０と天井梁４２０との間隔はｈとなる。このため、天井梁４２０と床梁４１０との間に、配管スペースや耐火材の被覆スペースを確保することができる。ここで、天井梁４２０の取り付け高さ位置は低くなるが、天井面４５１は天井梁４２０以外の領域では低くする必要はなく、天井面４５１は高く確保できる。しかし、床面４４１は床梁４１０の位置に依存して高くなるので、各階の床面４４１から天井面４５１までの室内空間高さＨ４は、第１〜第３実施形態の高さＨ１〜Ｈ３よりも狭められる。ただし、床梁４１０よりも高さが低い天井梁４２０を用いているので、特許文献２と比較すれば、床面４４１から天井面４５１までの室内空間高さＨ４はＨ０と同等であっても、床面４４１から天井梁４２０下の天井面４５１までの間隔Ｌ４が広がる（Ｌ４＞Ｌ０）。よって、天井梁４２０下の天井面４５１の高さが高くなるので、床面４４１から天井面４５１全体までの室内空間高さは、居住性が低下するほど狭められることはない。また、天井梁４２０は現場で取り外して施工できる自由度がある。天井梁４２０を取りはずした場合には、天井面４５１は階下と階上の境界面を超えた高い位置に設定できる。よって、室内空間高さが拡大されて居住性が高められ、高い開放性を確保できる。
【００４６】
６．第５実施形態
図２５は、本発明の第５実施形態に係る建築ユニット構造体における階下と階上との連結領域を示す。建築ユニット構造体５００の軸組みは、床梁５１０と、天井梁５２０と、柱体５３０とを連結している。柱体５３０は、中空断面の柱５３２と、柱５３２の下端に接合される通しダイアフラム５３４と、柱５３２の上端に接合される上部接続板５３５と、通しダイアフラムの下端に接合される中空断面の追加柱５３６と、追加柱５３６の下端に接合される下部接続板５３７と、上部接続板５３５の直下で柱５３２に接合される天井梁接続金具５３８と、を有する。通しダイアフラム５３４には床梁５１０の端部が接合例えば溶接される。上部接続板５３５は、階上の建築ユニット構造体５００の下部接続板５３７と、例えば柱５３２よりも外側の４箇所にて例えばボルト、ナット等の締結手段により、現場において締結される。天井梁接続金具５３８には、天井梁５２０の端部が締結手段により工場において締結される。通しダイアフラム５３４に剛接合される主要構造である床梁５１０は、Ｈ鋼５１２を被覆する耐火材５１４を有する。主要構造でない天井梁５２０は、第４実施形態とは異なり、床梁５１０と同じ高さである。
【００４７】
図２５には、階上の床材５４０と階下の天井材５５０とが示されている。床材５４０は、通しダイアフラム５３４に接合される床梁５１０に支持される。ここで、第５実施形態は、第４実施形態と比較して、天井梁５２０の高さが天井梁４２０よりも高いことが相違している。このように、第５実施形態は、天井梁の高さを除いて第４実施形態と同じ構造であるので、床梁５１０に支持される床材５４０の床面５４１の位置は、第１，第２実施形態よりも高くなる一方、天井梁５２０は、上部接続板５３５の直下にて柱５３２に接合された天井梁接続金具５３８に締結手段によって締結される。よって、天井梁５２０の取り付け高さ位置は最上位となり、第１，第２実施形態よりも高くなる。また、図２５でも、第１，第２実施形態の床梁及び天井梁を寸法ｈだけ上方に平行移動させた状態と同じである。よって、第５実施形態でも、第１〜第３実施形態と同じく、床梁５１０と天井梁５２０との間隔はｈとなる。このため、天井梁５２０と床梁５１０との間に、配管スペースや耐火材の被覆スペースを確保することができる。一方、各階の床面５４１から天井面５５１までの室内空間高さＨ５は、第１〜第３実施形態の高さＨ１〜Ｈ３よりも狭められる。特許文献２と比較すれば、床面５４１から天井面５５１までの室内空間高さＨ５はＨ０と同等であり（Ｈ５＝Ｈ０）、床面５４１から天井梁５２０下の天井面５５１までの間隔Ｌ５も同等である（Ｌ５＝Ｌ０）。ただし、天井梁５２０は現場で取り外して施工できる自由度がある。天井梁５２０を取りはずした場合には、天井面５５１は階下と階上の境界面を超えた高い位置に設定できる。よって、室内空間高さが拡大されて居住性が高められ、高い開放性を確保できる。
【００４８】
上述した通り、第１，第３〜第５実施形態のいずれかにおいて、天井梁１２０，３２０〜５２０を現場で取り外して施工することが可能である。図２６は第４実施形態の天井梁４２０を取り外した施工例を示す。図２６に示すように、現場において、階下／階上の境界面Ａを越えて、階下の天井材４５０を階上の床梁４１０の直下に配置できるので、床面４４１から天井面４５１までの室内空間高さＨ４を最大限に拡大することができる。よって、第１，第３〜第５実施形態の建築ユニット構造体を用いて例えばホテルを構築する場合、１階の天井梁を取り外すことで１階ロビーの天井高を大きく確保することができる。
【００４９】
７．第６実施形態
図２７及び図２８に基づいて、第１実施形態の建築ユニット構造体１００をトレーナー等の車両による運搬に適するように変形実施する本発明の第６実施形態について説明する。先ず、第１実施形態の補足説明として、図２７に基づいて通しダイアフラム１３４について説明する。通しダイアフラム１３４は、図２７に示すように、ダイアフラム管１３４Ａと、該ダイアフラム管１３４Ａの上端と接合される上部接合板１３４Ｂと、ダイアフラム管１３４Ａの下端と接合される下部接合板１３４Ｃと、を含むことができる。従って、階上の建築ユニット構造体１００下部接合板１３４Ｃは、階下の建築ユニット構造体１００の接続板１３６と、ボルト１３９Ａ及びナット１３９Ｂ等の締結手段によって締結されて、階下と階上の建築ユニット構造体１００同士が連結される。１階の建築ユニット構造体１００の下部接合板１３４Ｃは基礎に締結することができる。
【００５０】
建築ユニット構造体１００は、例えばコンテナサイズに形成すれば、コンテナ搬送用のトレーラーにより工場から施工現場まで搬送することができる。その際、トレーラーの荷台の４か所には、クイックスナップと称される緊締装置が配置される。クイックスナップは、被搬送物体に設けられる長穴に挿入された後に９０度回転される。それにより、被搬送物体はクイックスナップにより抜け止めされる。
【００５１】
図２８に示すように、建築ユニット構造体１００の下部接合板１３４Ｃに長穴１３４Ｃ１を設けることができる。この長穴１３４Ｃ１は、図３または図５に示す四隅の下部接合板１３４Ｃに設ければよい。それにより、建築ユニット構造体１００は長穴１３４Ｃ１とクイックスナップとにより緊締され、トレーラーにより安全に運搬することができる。第２実施形態でも同様に、下部通しダイアフラム２３４の下部接合板に長穴を設けられ場良い。第３〜第５実施形態では、下部接続板３３７，４３７，５３７に長穴を設ければ良い。
【００５２】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。
【００５３】
また、例えば４０フィートの建築ユニット構造体を運搬可能なトレーラーの荷台前方には、床梁の一部と干渉するグースネック部などと呼ばれる突出部があるため、建築ユニット構造体に前記突出部との干渉を回避した形状の床梁を接合しても良い。この場合、例えば第１，第２実施形態では、柱下端の通しダイアフラムの上方に内ダイアフラムを増設し、前記突出部との干渉を回避した形状の床梁を通しダイアフラム及び内ダイアフラムに接合しても良い。
【符号の説明】
【００５４】
１，１００，２００，３００，４００，５００…建築ユニット構造体、１０，１１０，２１０，３１０，４１０，５１０…床梁、２０，１２０，２２０，３２０，４２０，５２０…天井梁、１３０，２３０，３３０，４３０，５３０…柱体、１３２，２３２，３３２，４３２，５３２…柱、１３４，３３４，４３４，５３４…通しダイアフラム、１３６…接続板、１３８，３３８，４３８，５３８…天井梁接続金具、４０，１４０，２４０，３４０，４４０，５４０…床材、４１，１４１，２４１，３４１，４４１，５４１…床面、５０，１５０，２５０，３５０，４５０，５５０…天井材、５１，１５１，２５１，３５１，４５１，５５１…天井面、２３４…下部通しダイアフラム、２３５，３３６，４３６，５３６…追加柱、２３６…上部通しダイアフラム、３３５，４３５，５３５…上部接続板、３３７，４３７，５３７…下部接続板、Ａ…階下／階上の境界面、Ｈ０〜Ｈ５…室内空間高さ、ｈ…階下の天井梁と階上の床梁との距離、Ｌ０〜Ｌ５…床面と天井梁下の天井面との間の間隔
【図１】
2020066864.tif 000003
【図２】
2020066864.tif 000004
【図３】
2020066864.tif 000005
【図４】
2020066864.tif 000006
【図５】
2020066864.tif 000007
【図６】
2020066864.tif 000008
【図７】
2020066864.tif 000009
【図８】
2020066864.tif 000010
【図９】
2020066864.tif 000011
【図１０】
2020066864.tif 000012
【図１１】
2020066864.tif 000013
【図１２】
2020066864.tif 000014
【図１３】
2020066864.tif 000015
【図１４】
2020066864.tif 000016
【図１５】
2020066864.tif 000017
【図１６】
2020066864.tif 000018
【図１７】
2020066864.tif 000019
【図１８】
2020066864.tif 000020
【図１９】
2020066864.tif 000021
【図２０】
2020066864.tif 000022
【図２１】
2020066864.tif 000023
【図２２】
2020066864.tif 000024
【図２３】
2020066864.tif 000025
【図２４】
2020066864.tif 000026
【図２５】
2020066864.tif 000027
【図２６】
2020066864.tif 000028
【図２７】
2020066864.tif 000029
【図２８】
2020066864.tif 000030
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
上下に連結されて建築物を構築するための建築ユニット構造体において、
中空断面の柱と、
前記柱の下端に接合される下部通しダイアフラムと、
前記柱の上端に接合される上部通しダイアフラムと、
前記上部通しダイアフラムの上端に接合される中空断面の追加柱と、
前記下部通しダイアフラムに接合される床梁と、
前記上部通しダイアフラムに接合される天井梁と、
前記追加柱の上端に接合され、階上の建築ユニット構造体の前記下部通しダイアフラムと締結手段によって締結される接続板と、
を有する建築ユニット構造体。
【請求項２】
請求項１において、
前記下部通しダイアフラム及び上部通しダイアフラムの各々は、ダイアフラム管と、該ダイアフラム管の上端と接合される上部接合板と、前記ダイアフラム管の下端と接合される下部接合板と、を含み、
前記下部通しダイアフラムの前記下部接合板は、階下の建築ユニット構造体の前記接合板と締結手段によって締結される建築ユニット構造体。
【請求項３】
請求項２において、
前記下部通しダイアフラムの前記下部接合板には長穴が形成され、前記長穴は、前記建築ユニット構造体が搭載される車両の荷台に上向きで突出するツイストロックが嵌入するのに適合する建築ユニット構造体。
【請求項４】
請求項１乃至３のいずれか一項において、
前記床梁及び前記天井梁は、耐火材で被覆されている建築ユニット構造体。
【請求項５】
上下に連結されて建築物を構築するための建築ユニット構造体において、
中空断面の柱と、
前記柱の下端に接合される通しダイアフラムと、
前記通しダイアフラムに接合される床梁と、
前記柱の上端に接合され、階上の建築ユニット構造体の前記通しダイアフラムと締結手段によって締結される接続板と、
天井梁と、
前記接続板よりも下方に離れて前記柱に接合され、前記天井梁が締結手段によって締結される天井梁接続金具と、
を有する建築ユニット構造体。
【請求項６】
請求項５において、
前記通しダイアフラムは、ダイアフラム管と、該ダイアフラム管の上端と接合される上部接合板と、前記ダイアフラム管の下端と接合される下部接合板と、を含み、
前記下部接合板は、階下の建築ユニット構造体の前記接続板と締結手段によって締結される建築ユニット構造体。
【請求項７】
請求項６において、
前記下部接合板には長穴が形成され、前記長穴は、前記建築ユニット構造体が搭載される車両の荷台に上向きで突出するツイストロックが嵌入するのに適合する建築ユニット構造体。
【請求項８】
上下に連結されて建築物を構築するための建築ユニット構造体において、
中空断面の柱と、
該柱の下端に接合される通しダイアフラムと、 
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
天井梁と、
前記上部接続板よりも下方に離れて前記柱に接合され、前記天井梁が締結手段によって締結される天井梁接続金具と、
を有する建築ユニット構造体。
【請求項９】
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
前記床梁よりも高さが低い天井梁と、
前記上部接続板の直下で前記柱に接合され、前記天井梁が締結手段によって締結される天井梁接続金具と、
を有する建築ユニット構造体。
【請求項１０】
上下に連結されて建築物を構築するための建築ユニット構造体において、
中空断面の柱と、
該柱の下端に接合される通しダイアフラムと、
該通しダイアフラムに接合される床梁と、
前記柱の上端に接合される上部接続板と、
前記通しダイアフラムの下端に接合される中空断面の追加柱と、
該追加柱の下端に接合され、階下の建築ユニット構造体の前記上部接続板と締結手段によって締結される下部接続板と、
前記床梁と同一高さの天井梁と、
前記上部接続板の直下で前記柱に接合され、前記天井梁が締結手段によって締結される天井梁接続金具と、
を有する建築ユニット構造体。
【請求項１１】
請求項８乃至１０のいずれか一項において、
前記下部接続板には長穴が形成され、前記長穴は、前記建築ユニット構造体が搭載される車両の荷台に上向きで突出するツイストロックが嵌入するのに適合する建築ユニット構造体。
【請求項１２】
請求項５乃至１１のいずれか一項において、
前記床梁は、耐火材で被覆されている建築ユニット構造体。
【手続補正２】
【補正対象書類名】明細書
【補正対象項目名】００５０
【補正方法】変更
【補正の内容】
【００５０】
建築ユニット構造体１００は、例えばコンテナサイズに形成すれば、コンテナ搬送用のトレーラーにより工場から施工現場まで搬送することができる。その際、トレーラーの荷台の４か所には、ツイストロック又はクイックスナップと称される緊締装置が配置される。クイックスナップは、被搬送物体に設けられる長穴に挿入された後に９０度回転される。それにより、被搬送物体はクイックスナップにより抜け止めされる。
【手続補正３】
【補正対象書類名】図面
【補正対象項目名】図６
【補正方法】変更
【補正の内容】
【図６】
2020066864.tif 000031
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
上下に連結されて建築物を構築するための建築ユニット構造体において、
中空断面の柱と、
前記柱の下端に溶接される下部通しダイアフラムと、
前記柱の上端に溶接される上部通しダイアフラムと、
前記上部通しダイアフラムの上端に溶接される中空断面の追加柱と、
前記下部通しダイアフラムに溶接される床梁と、
前記上部通しダイアフラムに溶接される天井梁と、
前記追加柱の上端に溶接され、階上の建築ユニット構造体の前記下部通しダイアフラムと締結手段によって締結される接続板と、
を有する建築ユニット構造体。
【請求項２】
請求項１において、
前記下部通しダイアフラム及び上部通しダイアフラムの各々は、ダイアフラム管と、該ダイアフラム管の上端と溶接される上部接合板と、前記ダイアフラム管の下端と溶接される下部接合板と、を含み、
前記下部通しダイアフラムの前記下部接合板は、階下の建築ユニット構造体の前記接合板と締結手段によって締結される建築ユニット構造体。
【請求項３】
請求項２において、
前記下部通しダイアフラムの前記下部接合板には長穴が形成され、前記長穴は、前記建築ユニット構造体が搭載される車両の荷台に上向きで突出するツイストロックが嵌入するのに適合する建築ユニット構造体。
【請求項４】
請求項１乃至３のいずれか一項において、
前記床梁及び前記天井梁は、耐火材で被覆されている建築ユニット構造体。
【請求項５】
上下に連結されて建築物を構築するための建築ユニット構造体において、
中空断面の柱と、
前記柱の下端に溶接される通しダイアフラムと、
前記通しダイアフラムに溶接される床梁と、
前記柱の上端に溶接され、階上の建築ユニット構造体の前記通しダイアフラムと締結手段によって締結される接続板と、
天井梁と、
前記接続板よりも下方に離れて前記柱に溶接され、前記天井梁が締結手段によって締結される天井梁接続金具と、
を有する建築ユニット構造体。
【請求項６】
請求項５において、
前記通しダイアフラムは、ダイアフラム管と、該ダイアフラム管の上端と溶接される上部接合板と、前記ダイアフラム管の下端と溶接される下部接合板と、を含み、
前記下部接合板は、階下の建築ユニット構造体の前記接続板と締結手段によって締結される建築ユニット構造体。
【請求項７】
請求項６において、
前記下部接合板には長穴が形成され、前記長穴は、前記建築ユニット構造体が搭載される車両の荷台に上向きで突出するツイストロックが嵌入するのに適合する建築ユニット構造体。
【請求項８】
上下に連結されて建築物を構築するための建築ユニット構造体において、
中空断面の柱と、
該柱の下端に溶接される通しダイアフラムと、 
該通しダイアフラムに溶接される床梁と、
前記柱の上端に溶接される上部接続板と、
前記通しダイアフラムの下端に溶接される中空断面の追加柱と、
該追加柱の下端に溶接され、階下の建築ユニット構造体の前記上部接続板と締結手段によって締結される下部接続板と、
天井梁と、
前記上部接続板よりも下方に離れて前記柱に溶接され、前記天井梁が締結手段によって締結される天井梁接続金具と、
を有する建築ユニット構造体。
【請求項９】
上下に連結されて建築物を構築するための建築ユニット構造体において、
中空断面の柱と、
該柱の下端に溶接される通しダイアフラムと、
該通しダイアフラムに溶接される床梁と、
前記柱の上端に溶接される上部接続板と、
前記通しダイアフラムの下端に溶接される中空断面の追加柱と、
該追加柱の下端に溶接され、階下の建築ユニット構造体の前記上部接続板と締結手段によって締結される下部接続板と、
前記床梁よりも高さが低い天井梁と、
前記上部接続板の直下で前記柱に溶接され、前記天井梁が締結手段によって締結される天井梁接続金具と、
を有する建築ユニット構造体。
【請求項１０】
上下に連結されて建築物を構築するための建築ユニット構造体において、
中空断面の柱と、
該柱の下端に溶接される通しダイアフラムと、
該通しダイアフラムに溶接される床梁と、
前記柱の上端に溶接される上部接続板と、
前記通しダイアフラムの下端に溶接される中空断面の追加柱と、
該追加柱の下端に溶接され、階下の建築ユニット構造体の前記上部接続板と締結手段によって締結される下部接続板と、
前記床梁と同一高さの天井梁と、
前記上部接続板の直下で前記柱に溶接され、前記天井梁が締結手段によって締結される天井梁接続金具と、
を有する建築ユニット構造体。
【請求項１１】
請求項８乃至１０のいずれか一項において、
前記下部接続板には長穴が形成され、前記長穴は、前記建築ユニット構造体が搭載される車両の荷台に上向きで突出するツイストロックが嵌入するのに適合する建築ユニット構造体。
【請求項１２】
請求項５乃至１１のいずれか一項において、
前記床梁は、耐火材で被覆されている建築ユニット構造体。
【手続補正２】
【補正対象書類名】図面
【補正対象項目名】図２０
【補正方法】変更
【補正の内容】
【図２０】
2020066864.tif 000032
【手続補正３】
【補正対象書類名】図面
【補正対象項目名】図２５
【補正方法】変更
【補正の内容】
【図２５】
2020066864.tif 000033